(57)【特許請求の範囲】
【請求項１】
裏面側を取り付け面とする本体（１，２０１）と、
上記本体（１，２０１）を貫通する導電ターミナル(１４，２１４)と
を備え、
上記導電ターミナル(１４，２１４)の一方の端部は外部接続アース端子（８，２０８）であり、かつ、上記導電ターミナル(１４，２１４)の他方の端部は内部接続アース端子（９，２０９）であって、
上記外部接続アース端子（８，２０８）は、上記本体（１，２０１）の表面側に設けられ、
上記内部接続アース端子（９，２０９）は、上記本体（１，２０１）に設けられ、上記外部接続アース端子（８，２０８）と電気的に接続され、接地部の裏面が上記本体（１，２０１）の裏面と同一平面であり、
上記内部接続アース端子（９，２０９）の接地部にはビス穴（２５，２２５）が設けられていることを特徴とする端子台。
【請求項２】
請求項１に記載の端子台において、
上記内部接続アース端子（９，２０９）が鉤状に屈曲していることを特徴とする端子台。
【請求項３】
請求項１または２に記載の端子台において、
上記外部接続アース端子（８）とは別に上記本体（１）の表面側に設けられた外部接続端子（２，４，６）と、
上記内部接続アース端子（９）とは別に上記本体の表面側に設けられると共に、上記外部接続端子（２，４，６）に電気的に接続された内部接続端子（３，５，７）と
を備えたことを特徴とする端子台。
【請求項４】
請求項１または２に記載の端子台において、
上記外部接続アース端子（２０８）とは別に上記本体（２０１）の表面側に設けられた外部接続端子（２０２，２０４，２０６）と、
上記内部接続アース端子（２０９）とは別に上記本体（２０１）の裏面側に設けられると共に、上記外部接続端子（２０２，２０４，２０６）に電気的に接続された内部接続端子（２０３）と
を備えたことを特徴とする端子台。
【発明の詳細な説明】
【技術分野】
【０００１】
本発明は例えば空気調和機等に使用される端子台に関する。
【背景技術】
【０００２】
従来、端子台としては、図１０に示すように、本体１０１と、この本体１０１に設けられ、略一直線上に延びる導電ターミナル１０２とを備えたものがある。
【０００３】
上記導電ターミナル１０２は、一方の端部が機外配線接続側アース端子１０３となり、他方の端部が機内配線接続側アース端子１０４となっている。
【０００４】
上記機外配線接続側アース端子１０３および機内配線接続側アース端子１０４にはビス穴１０５，１０６が設けられており、各ビス穴１０５，１０６にはビス１０７，１０８が螺合している。
【０００５】
上記構成の端子台は、本体１０１の裏面が板金性のシャーシに接触するように、シャーシに取り付けられる。そして、上記機外配線接続側アース端子１０３を機外アース線１５１に接続すると共に、機内配線接続側アース端子１０４を機内アース線１５２を介してシャーシ１５０に接続する。このとき、上記ビス穴１０５，１０６に螺合する２つのビス１０７，１０８を締め付けると共に、機内アース線１５２をシャーシ１５０に固定するために１つのビス１５３を締め付ける。
【０００６】
しかしながら、上記従来の端子台を用いて機外アース線１５１を接地する場合、機外アース線１５１を機外配線接続側アース端子１０３に接続するためにビス１０７を締め付けた後、さらに、機内配線接続側アース端子１０４をシャーシ１５０に接続するために２つビス１０６，１５３を締め付けなければならない。つまり、上記機外アース線１５１を機外配線接続側アース端子１０３に接続した後、２回もの締め付け作業が必要となる。したがって、作業性が悪いという問題がある。
【０００７】
また、上記機外アース線１５１を接地するには、上記従来の端子台の他に、機内アース線１５２やビス１５３が必要であるから、材料費が高くなるという問題がある。
【特許文献１】特開２０００−３５３５５５号公報
【発明の開示】
【発明が解決しようとする課題】
【０００８】
そこで、本発明の課題は、作業性を向上できると共に、材料費を低減できる端子台を提供することにある。
【課題を解決するための手段】
【０００９】
上記課題を解決するため、本発明の端子台は、
裏面側を取り付け面とする本体と、
上記本体を貫通する導電ターミナルと
を備え、
上記導電ターミナルの一方の端部は外部接続アース端子であり、かつ、上記導電ターミナルの他方の端部は内部接続アース端子であって、
上記外部接続アース端子は、上記本体の表面側に設けられ、
上記内部接続アース端子は、上記本体に設けられ、上記外部接続アース端子と電気的に接続され、接地部の裏面が上記本体の裏面と同一平面であり、
上記内部接続アース端子の接地部にはビス穴が設けられていることを特徴としている。
【００１０】
上記構成の端子台によれば、本体を例えば導電性の部材に取り付けて、この部材と本体の裏面とを接触させた場合、内部接続アース端子の接地部の裏面が本体の裏面と同一平面であるから、内部接続アース端子の接地部の裏面も導電性の部材に接触する。
【００１１】
したがって、上記外部接続アース端子に例えばアース線を接続した後は、内部接続アース端子のビス穴にビスを螺合するだけで、アース線を導電性の部材に接地することができる。
【００１２】
その結果、上記外部接続アース端子にアース線を接続した後に行うビスの締め付け作業は１回と少なく、作業性を向上させることができる。
【００１３】
また、上記内部接続アース端子を導電性の部材に接続するアース線や、このアース線を導電性の部材に固定するためのビスが不要となるから、材料費を低減することができる。
【００１４】
一実施形態の端子台では、
上記内部接続アース端子が鉤状に屈曲している。
【００１５】
上記実施形態の端子台によれば、上記内部接続アース端子が鉤状に屈曲しているから、構造を簡単にすることができる。
【００１６】
一実施形態の端子台では、
上記外部接続アース端子とは別に上記本体の表面側に設けられた外部接続端子と、
上記内部接続アース端子とは別に上記本体の表面側に設けられると共に、上記外部接続端子に電気的に接続された内部接続端子と
を備える。
【００１７】
上記実施形態の端子台を例えば板金製のシャーシに取り付ける場合、上記外部接続アース端子とは別の外部接続端子と、内部接続アース端子とは別の内部接続端子とが共に本体の表面側に設けられていることによって、外部接続アース端子と例えば外部配線との接続作業をシャーシの一方の側で行えると共に、内部接続アース端子と例えば内部配線との接続作業もシャーシの一方の側で行えるから、作業性をさらに向上させることができる。
【００１８】
一実施形態の端子台では、
上記外部接続アース端子とは別に上記本体の表面側に設けられた外部接続端子と、
上記内部接続アース端子とは別に上記本体の裏面側に設けられると共に、上記外部接続端子に電気的に接続された内部接続端子と
を備える。
【００１９】
上記実施形態の端子台を、例えば貫通穴を有する板金製のシャーシに取り付ける場合、その貫通穴を塞ぐように本体を板金製のシャーシの表面に取り付けると、内部接続アース端子とは別の内部接続端子が本体の裏面側に位置するから、板金製のシャーシの裏面側でも位置させることができる。
【００２０】
したがって、上記板金製のシャーシの裏面側にある例えば内部配線を板金製のシャーシの表側に引き出さなくても、内部接続アース端子とは別の内部接続端子に内部配線を接続することができるから、作業性をさらに向上させることができる。
【発明の効果】
【００２１】
本発明の端子台によれば、本体を例えば導電性の部材に取り付けて、この部材と本体の裏面とを接触させた場合、内部接続アース端子の接地部の裏面が本体の裏面と同一平面であることによって、内部接続アース端子の接地部の裏面も導電性の部材に接触するから、外部接続アース端子に例えばアース線を接続した後は、内部接続アース端子のビス穴にビスを螺合するだけで、アース線を導電性の部材に接地することができる。
【００２２】
したがって、上記外部接続アース端子にアース線を接続した後に行うビスの締め付け作業は１回と少なく、作業性を向上させることができる。
【００２３】
また、上記内部接続アース端子を導電性の部材に接続するアース線や、このアース線を導電性の部材に接続するビスが不要となるから、材料費を低減することができる。
【００２４】
一実施形態の端子台では、上記内部接続アース端子が鉤状に屈曲しているから、構造を簡単にすることができる。
【００２５】
一実施形態の端子台を例えば板金製のシャーシに取り付ける場合、上記外部接続アース端子とは別の外部接続端子と、内部接続アース端子とは別の内部接続端子とが共に本体の表面側に設けられていることによって、外部接続アース端子と例えば外部配線との接続作業をシャーシの一方の側で行えると共に、内部接続アース端子と例えば内部配線との接続作業もシャーシの一方の側で行えるから、作業性をさらに向上させることができる。
【００２６】
一実施形態の端子台を、例えば貫通穴を有する板金製のシャーシに取り付ける場合、その貫通穴を塞ぐように本体を板金の表面に取り付けると、内部接続アース端子とは別の内部接続端子が本体の裏面側に位置するから、その内部接続端子が板金の裏面側で露出する。
【００２７】
したがって、上記板金の裏面側にある例えば内部配線を板金の表側に引き出さなくても、内部接続アース端子とは別の内部接続端子に内部配線を接続することができるから、作業性をさらに向上させることができる。
【発明を実施するための最良の形態】
【００２８】
以下、本発明の端子台を図示の実施の形態により詳細に説明する。
【００２９】
（第１実施形態）
図１に、本発明の第１実施形態の端子台を表面側から見た概略図を示す。
【００３０】
上記端子台は、固定用のネジ穴１０を有する本体１と、この本体１に設けられた第１の導電ターミナル１１、第２の導電ターミナル１２、第３の導電ターミナル１３および第４の導電ターミナル１４とを備えている。上記本体１は裏面側を取り付け面としている。
【００３１】
上記第１，第２の導電ターミナル１１，１２の一方の端部は、内外連絡配線の電源電線に接続される第１，第２の外部接続電源端子２，４となっている。また、上記第１，第２の導電ターミナル１１，１２の他方の端部は、ハーネスの電源電線に接続される第１，第２の内部接続電源端子３，５となっている。
【００３２】
上記第３の導電ターミナル１３の一方の端部は、連絡配線の信号線に接続される外部接続信号端子６となっている。また、上記第３の導電ターミナル１３の他方の端部は、ハーネスの信号線に接続される内部接続信号端子７となっている。
【００３３】
上記第４の導電ターミナル１４の一方の端部は、内外連絡配線のアース線５１（図４参照）に接続される外部接続アース端子８となっている。また、上記第４の導電ターミナル１４の他方の端部は内部接続アース端子９となっている。
【００３４】
なお、図１の２５はビス穴である。
【００３５】
図２に、図１のII−II線から見た概略断面図を示す。
【００３６】
上記第１の導電ターミナル１１は２枚の板金で構成されている。上記第１の外部接続電源端子２側では上記２枚の板金が略隙間無く互いに接触している。また、上記第１の内部接続電源端子３側では、上記２枚の板金間に隙間が形成されるように、その２枚の板金のうちの表側の板金が屈曲している。
【００３７】
上記第１の外部接続電源端子２はビス１５が螺合するビス穴２３を有している。また、図１，図２に示すように、上記第１の外部接続電源端子２とビス１５の頭部との間には角座１９が配置されている。この角座１９とビス１５の頭部との間にスプリングワッシャを配置してもよい。
【００３８】
また、図１に示すように、上記第２の外部接続電源端子４および外部接続信号端子６上にも角座２０，２１を配置しており、この角座２０，２１をビス１６，１７が挿通している。
【００３９】
なお、上記第２，第３の導電ターミナル１２，１３は第１の導電ターミナルと同様の形状を有している。
【００４０】
図３に、図１のIII−III線から見た概略断面図を示す。
【００４１】
上記第４の導電ターミナル１４は１枚の板金からなり図３の左右方向において本体１を貫通している。
【００４２】
上記外部接続アース端子８は本体１の表面側に位置すると共に、ビス１８が螺合するビス穴２４を有している。また、図１，図３に示すように、上記外部接続アース端子８とビス１８の頭部との間には角座２２が配置されている。
【００４３】
上記内部接続アース端子９は鉤状に屈曲している。そして、上記内部接続アース端子９は、図３の左右方向に延びて板金製のシャーシ５０（図４参照）に接触するべき接地部を含んでいる。より詳しくは、上記内部接続アース端子９は本体１の略中央部から本体１の裏面まで延びた後、屈曲して本体１の裏面と平行に延びている。
【００４４】
上記接地部の裏面は本体１の裏面と同一平面となっている。換言すれば、上記接地部の裏面は本体１の裏面と略面一となっている。また、上記接地部には、ビス５２（図４参照）が螺合するビス穴２５を設けている。このビス穴２５は内部接続アース端子９の接地部の表面から内部接続アース端子９の接地部の裏面に達している。つまり、上記ビス穴２５は内部接続アース端子９の接地部を貫通している。
【００４５】
上記構成の端子台を用いて、図４に示すように内外連絡配線のアース線５１の接地を行う場合、本体１の裏面を板金製のシャーシ５０に接触させ、本体１のネジ穴１０に螺合するネジを締め付けて、本体１をシャーシ５０に固定する。そうすると、上記内部接続アース端子９の接地部の裏面は本体１の裏面と同一平面であるから、内部接続アース端子９の接地部の裏面もシャーシ５０に接触する。
【００４６】
したがって、上記外部接続アース端子８に内外連絡配線のアース線５１を接続した後は、内部接続アース端子９のビス穴２５に螺合するビス５２を締め付けるだけで、そのアース線５１の接地が完了する。
【００４７】
その結果、上記外部接続アース端子８に内外連絡配線のアース線５１を接続した後に行うビスの締め付け作業は１回と少なく、作業性を向上させることができる。
【００４８】
また、上記内部接続アース端子９をシャーシ５０に接続するアース線や、このアース線をシャーシ５０に固定するためのビスが不要となるから、材料費を低減することができる。具体的には、図１０のアース線１５２およびビス１５３が要らない分、材料費を低減することができる。
【００４９】
また、上記内部接続アース端子９は鉤状に屈曲しているから、構造を簡単にすることができる。
【００５０】
（第２実施形態）
図５に、本発明の第２実施形態の端子台を表面側から見た概略図を示す。
【００５１】
上記端子台は、固定用のネジ穴２１０，２３０を有する本体２０１と、この本体２０１に設けられた第１の導電ターミナル２１１、第２の導電ターミナル２１２、第３の導電ターミナル２１３および第４の導電ターミナル２１４とを備えている。上記本体２０１は裏面側を取り付け面としている。
【００５２】
上記第４の導電ターミナル２１４の一方の端部は、内外連絡配線のアース線に接続される外部接続アース端子２０８となっている。また、上記第４の導電ターミナル２１４の他方の端部は内部接続アース端子２０９となっている。
【００５３】
なお、図５の２２５はビス穴である。
【００５４】
図６に、図５のVI−VI線から見た概略断面図を示す。
【００５５】
上記第１の導電ターミナル２１１は断面コの字形状を有すると共に、図６の上下方向において本体２０１を貫通している。
【００５６】
上記第１の導電ターミナル２１１の一方の端部は、図５，図６に示すように、本体２０１の表面側に位置する第１の外部接続電源端子２０２となっている。この第１の外部接続電源端子２０２には内外連絡配線の電源電線が接続される。また、上記第１の外部接続電源端子２０２にはビス２１５が螺合するビス穴２２３が設けられている。このビス２１５の頭部と第１の外部接続電源端子２０２との間にはスプリングワッシャ２２６および角座２１９が配置されている。
【００５７】
上記第１の導電ターミナル２１１の他方の端部は、本体２０１の裏面側に位置する第１の内部接続電源端子２０３となっている。この第１の内部接続電源端子２０３にはハーネスの電源電線が接続される。
【００５８】
また、上記第２，第３の導電ターミナル２１２，２１３は第１の導電ターミナル２１１と同様の形状を有している。
【００５９】
より詳しくは、上記第２の導電ターミナル２１２の一方の端部は、図１に示すように、内外連絡配線の電源電線に接続される第２の外部接続電源端子２０４となっている。また、上記第２の導電ターミナル２１２の他方の端部は、図示しないが、ハーネスの電源電線に接続される第２の内部接続電源端子となっている。
【００６０】
また、上記第３の導電ターミナル２１３の一方の端部は、内外連絡配線の信号線に接続される外部接続信号端子２０６となっている。また、上記第３の導電ターミナル２１３の他方の端部は、図示しないが、ハーネスの信号線に接続される内部接続信号端子となっている。
【００６１】
また、上記第２の外部接続電源端子２０４および外部接続信号端子２０６上にも角座２２０，２２１およびスプリングワッシャ２２７，２２８を配置しており、角座２２０，２２１およびスプリングワッシャ２２７，２２８をビス２１６，２１７の軸部が挿通している。
【００６２】
なお、上記第１，第２の外部接続電源端子２０２，２０４および外部接続信号端子２０６は、それぞれ、外部接続端子の一例である。また、上記第１の内部接続電源端子２０３、第２の内部接続電源端子および内部接続信号端子は、それぞれ、内部接続端子の一例である。
【００６３】
図７に、図５のVII−VIIから見た概略断面図を示す。
【００６４】
上記第４の導電ターミナル２１４は図７の左右方向において本体２０１を貫通している。
【００６５】
上記外部接続アース端子２０８は、図５，図７に示すように、本体２０１の表面側に位置すると共に、ビス２１８が螺合するビス穴２２４を有している。また、上記外部接続アース端子２０８とビス２５２の頭部との間にはスプリングワッシャ２２９および角座２２２が配置されている。
【００６６】
上記内部接続アース端子２０９は鉤状に屈曲している。そして、上記内部接続アース端子２０９は、図７の左右方向に延びて板金製のシャーシ２５０（図９参照）に接触するべき接地部を含んでいる。より詳しくは、上記内部接続アース端子９は本体１の略中央部から本体１の裏面まで延びた後、屈曲して本体１の裏面と平行に延びている。
【００６７】
上記接地部の裏面は本体２０１の裏面と同一平面となっている。別の言い方をすれば、上記接地部の裏面と本体２０１の裏面とは略面一となっている。また、上記接地部には、ビス２５２が螺合するビス穴２２５を設けている。このビス穴２２５は内部接続アース端子２０９の接地部の表面から内部接続アース端子２０９の接地部の裏面に達している。つまり、上記ビス穴２２５は内部接続アース端子２０９の接地部を貫通している。
【００６８】
上記構成の端子台によれば、図８に示すように、本体２０１に関して第１〜第３の導電性ターミナル２１１〜２１３が設けられた部分が板金製のシャーシ２５０の貫通穴２５４を塞ぐように、シャーシ２５０に本体２０１を取り付け、本体２０１のネジ穴２１０，２３０に螺合するネジを締め付けて、本体２０１をシャーシ２５０に固定する。このとき、図９に示すように、本体２０１に関して第４の導電性ターミナル２１４が設けられた部分の裏面がシャーシ２５０に接触する。そうすると、上記内部接続アース端子２０９の接地部の裏面は、本体２０１に関して第４の導電性ターミナル２１４が設けられた部分の裏面と同一平面となっているから、内部接続アース端子２０９の接地部の裏面もシャーシ２５０に接触する。
【００６９】
したがって、上記外部接続アース端子２０８に内外連絡配線のアース線２５１を接続した後は、内部接続アース端子２０９のビス穴２２５に螺合するビス２５２を締め付けるだけで、そのアース線２５１の接地が完了する。
【００７０】
その結果、上記外部接続アース端子２０８に内外連絡配線のアース線２５１を接続した後に行うビスの締め付け作業は１回と少なく、作業性を向上させることができる。
【００７１】
また、上記内部接続アース端子２０９をシャーシ２５０に接続するアース線や、このアース線をシャーシ２５０に固定するためのビスが不要となるから、材料費を低減することができる。具体的には、図９のアース線１５２およびビス１５３が要らない分、材料費を低減することができる。
【００７２】
また、上記内部接続アース端子２０９は鉤状に屈曲しているから、構造を簡単にすることができる。
【００７３】
また、上記本体２０１をシャーシ２５０に固定すると、第１の内部接続電源端子２０３、第２の内部接続電源端子および内部接続信号端子が本体２０１の裏面側に位置しているので、それらの端子がシャーシ２５０の裏面側で露出する。
【００７４】
したがって、上記シャーシ２５０の裏面側にあるハーネスの配線をシャーシ２５０の表側に引き出さなくても、上記第１の内部接続電源端子２０３、第２の内部接続電源端子および内部接続信号端子にハーネスの配線を接続することができるから、作業性をさらに向上させることができる。
【００７５】
上記第１，第２の実施の形態では、内部接続アース端子の接地部の一端は本体に密着していたが、内部接続アース端子の接地部の一端と本体との間に隙間を設けてもよい。
【００７６】
上記第１，第２実施形態の端子台は、板金製のシャーシ以外の導電性の部材に取り付けてもよい。例えば、上記第１，第２実施形態の端子台を導電性のブロックに取り付けてもよい。
【００７７】
上記第１，第２実施形態の端子台は、空気調和機以外の様々な電気機器にも使用できることは言うまでもない。
【図面の簡単な説明】
【００７８】
【図１】図１は本発明の第１実施形態の端子台の概略上面図である。
【図２】図２は図１のII−II線矢視断面図である。
【図３】図３は図１のIII−III線矢視断面図である。
【図４】図４は上記第１実施形態の端子台の使用状態を説明するための概略断面図である。
【図５】図５は本発明の第２実施形態の端子台の概略上面図である。
【図６】図６は図５のVI−VI線矢視断面図である。
【図７】図７は図５のVII−VIIから見た概略断面図である。
【図８】図８は上記第２実施形態の端子台の使用状態を説明するための概略断面図である。
【図９】図９は上記第２実施形態の端子台の使用状態を説明するための概略断面図である。
【図１０】図１０は従来の端子台の使用状態を説明するための概略断面図である。
【符号の説明】
【００７９】
１，２０１  本体
２，２０２  第１の外部接続電源端子
３，２０３  第１の内部接続電源端子
４，２０４  第２の外部接続電源端子
５  第２の内部接続電源端子
６，２０６  外部接続信号端子
７  内部接続信号端子
８，２０８  外部接続アース端子
９，２０９  内部接続アース端子
２５，２２５  ビス穴
【図１】
0004731235.tif 000002
【図２】
0004731235.tif 000003
【図３】
0004731235.tif 000004
【図４】
0004731235.tif 000005
【図５】
0004731235.tif 000006
【図６】
0004731235.tif 000007
【図７】
0004731235.tif 000008
【図８】
0004731235.tif 000009
【図９】
0004731235.tif 000010
【図１０】
0004731235.tif 000011